(57)【要約】【課題】乗場が混雑時していても身障者が割り当てられたエレベータ号機に円滑に乗り込むことができるようにする。【解決手段】複数台のエレベータ号機の運行を管理し、乗場にてエレベータ利用者の行先階を登録する行き先階登録装置２を有するエレベータシステムにおいて、利用者が身障者である場合に押圧される身障者通知ボタン７と、文字表示出力または音声出力を行う出力部５と、を有する行き先階登録装置と、エレベータ号機毎に設置され、乗車する利用者に対して音声案内あるいは文字表示を行う出力装置４と、を備え、身障者通知ボタン７が押圧されて、行先階が登録された場合、行き先階登録が身障者によるものと判別して割り当てたエレベータ号機を出力部５に文字表示あるいは音声出力し、所定時間の経過後、出力装置４へ優先乗車を促す案内を行う。【選択図】図１
2015101442.tif 000002
【特許請求の範囲】
【請求項１】
複数台のエレベータ号機の運行を管理し、乗場にてエレベータ利用者の行先階を登録する行き先階登録装置を有するエレベータシステムにおいて、
利用者が身障者である場合に押圧される身障者通知ボタンと、文字表示出力または音声出力を行う出力部と、を有する前記行き先階登録装置と、
エレベータ号機毎に設置され、乗車する利用者に対して音声案内あるいは文字表示を行う出力装置と、
を備え、
前記身障者通知ボタンが押圧されて、前記行先階が登録された場合、行き先階登録が身障者によるものと判別して割り当てたエレベータ号機を前記出力部に文字表示あるいは音声出力し、所定時間の経過後、前記出力装置へ優先乗車を促す案内を行うことを特徴とするエレベータシステム。
【請求項２】
請求項１に記載のエレベータシステムにおいて、優先乗車を促す前記案内は、少なくともドアの前を開けることを明示する音声案内とすることを特徴とするエレベータシステム。
【請求項３】
請求項１に記載のエレベータシステムにおいて、前記所定時間は、健常者が前記行き先階登録装置の設置場所から割り当てられた前記エレベータ号機の前へ移動するために要する時間より長くされたことを特徴とするエレベータシステム。
【請求項４】
請求項１に記載のエレベータシステムにおいて、優先乗車を促す前記案内は、割り当てられた前記エレベータ号機の乗りかごが乗り場へ到着する時間より前に行われることを特徴とするエレベータシステム。
【請求項５】
請求項１に記載のエレベータシステムにおいて、利用者が所持し、身障者である属性情報が記憶されたＩＣカードを設け、前記ＩＣカードの情報を前記行き先階登録装置より読み取り、行き先階登録が身障者によるものと判別することを特徴とするエレベータシステム。
【発明の詳細な説明】
【技術分野】
【０００１】
本発明は、複数台のエレベータが設置され、乗場で行き先階登録を行うエレベータシステムに関する。
【背景技術】
【０００２】
乗場で行き先階の入力を行い、入力された行先階別にかごの割当を行うエレベータシステムにおいて、車椅子利用者等がエレベータを利用する場合、他の利用者が知ることができず、身障者が乗車の際に手間取るため、乗場入力装置に身障者用釦を設けること、対応エレベータに国際リハビリテーションマーク等の特殊表示をすることが知られ、例えば、特許文献１に記載されている。
【先行技術文献】
【特許文献】
【０００３】
【特許文献１】国際公開第2010/032305号パンフレット
【発明の概要】
【発明が解決しようとする課題】
【０００４】
上記従来技術においては、単に、対応エレベータを身障者が利用することが表示されるだけなので、割り当てられたエレベータ号機に乗り込もうとしている他の利用者で混雑している場合、十分に伝わらず、身障者の乗り込みを優先することまで配慮されているとは言い難く、結局、身障者がそのエレベータ号機に円滑に乗り込めない状況となることが多かった。
【０００５】
本発明の目的は、上記従来技術の課題を解決し、乗場が混雑していても身障者が割り当てられたエレベータ号機に円滑に乗り込むことができるようにし、エレベータ装置の効率的な運行も妨げないようにすることにある。
【課題を解決するための手段】
【０００６】
上記目的を達成するため、本発明は、複数台のエレベータ号機の運行を管理し、乗場にてエレベータ利用者の行先階を登録する行き先階登録装置を有するエレベータシステムにおいて、利用者が身障者である場合に押圧される身障者通知ボタンと、文字表示出力または音声出力を行う出力部と、を有する前記行き先階登録装置と、エレベータ号機毎に設置され、乗車する利用者に対して音声案内あるいは文字表示を行う出力装置と、を備え、前記身障者通知ボタンが押圧されて、前記行先階が登録された場合、行き先階登録が身障者によるものと判別して割り当てたエレベータ号機を前記出力部に文字表示あるいは音声出力し、所定時間の経過後、前記出力装置へ優先乗車を促す案内を行うものである。
【発明の効果】
【０００７】
本発明によれば、身障者通知ボタンが押圧されて、行先階が登録された場合、行き先階登録が身障者によるものと判別し、エレベータ号機毎に設置された出力装置へ優先乗車を促す案内を行うので、乗場が混雑時していても身障者が割り当てられたエレベータ号機に円滑に乗り込むことができ、エレベータ装置の効率的な運行も妨げることがない。
【図面の簡単な説明】
【０００８】
【図１】本発明の一実施の形態によるエレベータシステムの乗場を示す斜視図である。
【図２】図１に示したエレベータシステムの行き先階登録装置を示す正面図である。
【図３】図２に示した行き先階登録装置の他の使用状態を示す正面図である。
【図４】図３で割り当てられたエレベータ号機の近傍を示す正面図である。
【図５】図１に示したエレベータシステムにおける行き先階登録の処理動作を示すフローチャートである。
【発明を実施するための形態】
【０００９】
図１は、エレベータシステムの乗場を示し、複数のエレベータ号機を管理する群管理エレベータである。乗場の壁面に配置された行き先階登録装置１は、行先階の入力を乗場呼び登録として行い、乗場の入口に設置された行き先階登録装置２は、利用者が乗車前に自分の希望する行先階を入力して行先階登録を行う。また、エレベータ号機毎に、どのエレベータ号機が乗場呼びに応じて到着するかを方向別に知らせる到着灯３と、乗車する利用者に対して音声案内あるいは文字表示を行う出力装置４と、が配置されている。
【００１０】
行き先階登録装置２を用いて行き先階登録を行う場合について説明する。  
図２および図３は、行き先階登録装置２を拡大して示す正面図である。行き先階登録装置２は、文字表示出力または音声出力を行う出力部５と、行き先階を登録する際に押すことになる複数の階床ボタン６と、行き先階の登録を行う利用者が身障者である場合に押すように割り付けられ、利用者が身障者である場合に押圧することが明示された身障者通知ボタン７などを有している。
【００１１】
身障者は、身障者通知ボタン７を押圧した後に、階床ボタン６のいずれかあるいは組み合わせて行先階を入力する。エレベータシステムの群管理装置は、入力された行先階に対応して、複数台のエレベータからエレベータ号機の割り当てを行う。この時、身障者通知ボタン７の押圧により、行き先階登録が身障者によるものと判別する。出力部５は、各操作を行ったときに対応する表示出力または音声出力で行うと共に、その後の割り当てられたエレベータ号機を通知する表示出力または音声出力を行う。
【００１２】
利用者が行き先階を登録する際に５階の階床ボタン６を押すと、図２に示すように出力部５には行き先階の文字出力「５」が表示される。出力部５が音声出力の場合は、この文字表示に変えて音声出力によって通知しても良いし、両方の出力を行うものであっても良い。一方、図示しない群管理制御装置は、行き先階に対応する階床ボタン６が押されたとき、この信号を受けてエレベータ号機の割り当てを行い、その結果を例えば「Ｃ号機」として出力部５に表示する。出力部５が音声出力の場合は、この文字表示に変えて音声出力によって通知しても良いし、両方の出力を行うものであっても良い。
【００１３】
次に、図１〜図４に示したエレベータシステムにおける行き先階登録の処理動作を図５に示したフローチャートを用いて説明する。  
制御装置は乗場階の行き先階登録装置２を監視しており、ステップＳ１で行き先階登録装置１の身障者通知ボタン７が押されると、利用者が身障者であることを判別して身障者対応のプログラムが作動する。次に、ステップＳ２で行き先階登録装置２の階床ボタン６が押されると、制御装置はステップＳ３で行き先階信号を受け付け、待ち時間が短く、乗車率の小さいようなエレベータ号機を割り当て、ステップＳ４でその結果を示す信号を行き先階登録装置２に送信する。
【００１４】
この信号を受信した行き先階登録装置２は、ステップＳ４で行き先階登録装置２に設けられた出力部５に割り当てられた号機を文字表示または音声によって出力する。表示によって利用者は、直ちに自分の行き先階登録に対して割り当てられたエレベータ号機を知ることが出来る。そこで、そのエレベータ号機の前に移動を始める。
【００１５】
その後、制御装置は、ステップＳ５で身障者が行き先階登録装置２の設置場所から割り当てられたエレベータ号機の前へ移動するために要する時間であり、健常者が要するより長くされた所定時間を経過したことを確認し、その後、ステップＳ６で割り当てられたエレベータ号機の乗りかごが乗り場へ到着する時間より前で、乗場ドアが開く前に出力装置４を作動させ案内を行う。
【００１６】
出力装置４は、例えば、「優先乗車の方がこられます。ドアの前を開けてお待ちください」というような優先乗車を促す音声案内を行い、乗場ドアの前に居た他の利用者が身障者のために左右に避けるきっかけとして、少なくともドアの前を開けることを明示するものとする。このような音声案内が聞こえることから身障者自身に不快感を与えると考える場合は、出力装置４を表示装置として使用し同様の内容を文字」表示する。このとき混雑時であれば、乗場ドアの前には大勢の利用者８が既に待機しているため、後からこのエレベータに到着した身障者が乗りかご内に乗り込むのが難しくなってしまう。
【００１７】
しかし、ステップＳ６の案内放送または表示がこのタイミング、割り当ての決定後、予め設定された所定時間を経過したときであれば、乗場ドアの前に居た他の利用者は身障者が利用すること、及び身障者がエレベータの場所に到着したこと、を知り、図４に示すように乗場ドアの前を空けて、左右に避けるきっかけとなり、身障者の乗り込みが優先される。また、少なくともドアの前を開けることを明示する音声案内ならば、単に、対応エレベータを身障者が利用することが文字表示されるのとは異なり、他の利用者は、より確実に身障者が後から来ることを認識でき、乗りかご内へ身障者が乗り込む上でより確実に優しい対応となる。
【００１８】
また、行き先階登録装置２の身障者通知ボタン７に代えて、または併用して利用者が所持するＩＣカードからの情報を行き先階登録装置２より読み取ることとし、身障者、つまり車いすや松葉杖使用者、視覚障がい者などは健常者の利用者と異なることを示す、属性情報をＩＣカードに付加すれば、利用者が身障者等であることが、行き先階の入力時に判別できる。さらに、カメラからの画像解析データを使用して身障者の行き先階登録と判別したりしても同様である。いずれの場合も、行き先階登録装置１の身障者通知ボタン７、ＩＣカードリーダ、カメラおよび画像解析装置などのいずれか、または組み合わせによって身障者の行き先階登録と判別すれば良い。
【００１９】
以上説明したように、身障者の行き先階登録と判別し、出力装置４によって優先乗車を促す出力案内を行えば、健常者である他の利用者は身障者の乗車を知ることができ、乗場ドアの前を開けて身障者が乗り込みやすいに移動してくれることを期待することができる。このため、混雑時においても身障者の乗り込みが円滑に行われ、結果としてエレベータ装置の効率的な運行を行うことができるようになる。
【符号の説明】
【００２０】
１，２    行き先階登録装置
４    出力装置
５    出力部
６    階床ボタン
７    身障者通知ボタン
【図１】
2015101442.tif 000003
【図２】
2015101442.tif 000004
【図３】
2015101442.tif 000005
【図４】
2015101442.tif 000006
【図５】
2015101442.tif 000007